(57)【要約】【課題】  本発明では、洗濯物を雨や汚れなどから保護するとともに乾きやすくなる物干し用カバーを提供することを目的とする。【解決手段】  物干し用カバー１は、物干し器具６０を吊す傘状骨組み１０と、傘状骨組み１０の外側上部を覆う傘部カバー２０と、傘状骨組み１０の周縁部から垂下する側部カバー３０と、傘状骨組みの内側に取り付けられた電動ファン４０とを主に備えている。傘部カバー２０には、頂部周辺に数カ所の通気口２１が設けられている。【選択図】      図１ 
2005261828.tif 000002
【特許請求の範囲】
【請求項１】
物干し器具と、該物干し器具に吊された洗濯物との全体を覆う物干し用カバーであって、頂部又は頂部周辺に通気口を有する傘部と、前記傘部の周縁から垂下する側部カバーと、前記通気口の下部に通気を促進するための電動ファンを設けたことを特徴とする物干し用カバー。
【請求項２】
請求項１に記載の物干し用カバーであって、前記通気口の上部に通気口カバーを設けたことを特徴とする物干し用カバー。
【請求項３】
請求項１又は請求項２に記載の物干し用カバーであって、前記電動ファンの電源を太陽電池としたことを特徴とする物干し用カバー。
【請求項４】
請求項１から請求項３のいずれか１項に記載の物干し用カバーであって、前記物干し用カバーには、前記傘部の傘形状を保持するための骨組みを備えたことを特徴とする物干し用カバー。
【請求項５】
請求項１から請求項４のいずれか１項に記載の物干し用カバーであって、前記傘部の頂部に、前記傘部を吊すための第１フックを設けたことを特徴とする物干し用カバー。
【請求項６】
請求項１から請求項５のいずれか１項に記載の物干し用カバーであって、前記第１フックの下部に、物干し器具を吊す第２フックを設けたことを特徴とする物干し用カバー。
【請求項７】
請求項１から請求項６のいずれか１項に記載の物干し用カバーであって、前記側部カバーの下部に、該側部カバーを絞る裾紐を設けたことを特徴とする物干し用カバー。
【発明の詳細な説明】
【技術分野】
【０００１】
本発明は、洗濯物を物干し器具に吊して乾かす際に使用する、物干し用カバーに関するものである。
【背景技術】
【０００２】
一般に、室外で洗濯物を干す際、物干し器具に洗濯物を吊して、日光や風にさらして乾かすことが行われている。その場合、急な降雨や降雪などで洗濯物が濡れたり、埃、黄砂、花粉、火山灰などが付着したり、下着などが人目にさらされるなどの不都合がある。そのため、これまで埃や花粉の付着を防ぐために、花粉程度の粒子を通さない材料を用い、これを少なくとも２枚重ね合わせ、その中に炭粉を介在させた大きな袋状に形成した覆いカバー（特許文献１）や、撥水性の材料を用いたカバーを使い、洗濯物を覆うことにより、天候の変化に対応でき、下着などを他人の目から保護する長方形洗濯物ハンガーを覆うもの（特許文献２）が開示されている。そして、これらの技術においては、室外に洗濯物を干す際の天候の変化に対応でき、汚れや花粉の付着を防ぐとともに人目を防ぐという利点を有している。
【０００３】
【特許文献１】特開２００３−１５４１９７号公報
【特許文献２】特開２００３−３０５２９７号公報
【発明の開示】
【発明が解決しようとする課題】
【０００４】
しかしながら、従来の技術では、室外に洗濯物を干す際の天候の変化に対応でき、汚れ等を防ぐという点では便利であるが、洗濯物が乾きにくいといった問題があった。具体的には、風雨や微細な埃・花粉を防ぐ目的で、防水性の素材や粒子を通さない素材で洗濯物全体を覆うため、通気性が阻害され、カバー内の水分がカバー外に排出されにくく、洗濯物が乾きにくかった。素材自体に通気性のあるものを選んだ場合であっても、カバーが洗濯物の水分を吸収すると通気性が低下するなどして、やはり、洗濯物が乾くのは遅かった。
【０００５】
そこで、本発明では、通気性を促進する物干し用カバーを提供することを目的とする。
【課題を解決するための手段】
【０００６】
前記課題を解決する本発明のうち請求項１に記載の発明は、物干し器具と、該物干し器具に吊された洗濯物との全体を覆う物干し用カバーであって、頂部又は頂部周辺に通気口を有する傘部と、前記傘部の周縁から垂下する側部カバーと、前記通気口の下部に通気を促進するための電動ファンを設けたことを特徴とする。
請求項１に記載の発明によれば、傘部と、側部カバーによって、物干し器具と、該物干し器具に吊された洗濯物との全体を覆うとともに、前記傘部は、頂部又は頂部周辺に通気口を有し、前記通気口の下部に電動ファンが設けられているので、常に物干しカバー内に空気の流れが生じ、湿気を通気口から物干しカバー外へと排出させることができる。
【０００７】
請求項２に記載の発明は、請求項１に記載の物干し用カバーであって、前記通気口の上部に通気口カバーを設けたことを特徴とする。
請求項２に記載の発明によれば、前記傘部の頂部又は頂部周辺に有した通気口の上部に通気口カバーがあるので、通気口から雨、雪、埃などが入るのを防ぐことができる。
【０００８】
請求項３に記載の発明は、請求項１又は請求項２に記載の物干し用カバーであって、前記電動ファンの電源を太陽電池としたことを特徴とする。
請求項３に記載の発明によれば、通気を促進するための電動ファンの電源が太陽電池なので、電源を電池とした場合と異なり、電池の消耗に気を遣う必要がなく、電池交換の煩わしさもなく、エネルギーを節約することもできる。
【０００９】
請求項４に記載の発明は、請求項１から請求項３のいずれか１項に記載の物干し用カバーであって、前記物干し用カバーには、前記傘部の傘形状を保持するための骨組みを備えたことを特徴とする。
請求項４に記載の発明によれば、吊された洗濯物と物干し用カバーとの間に十分な空間が保たれ、洗濯物と物干し用カバーが付着して洗濯物の水分の蒸発が妨げられることがないため、洗濯物が乾きやすくなる。
【００１０】
請求項５に記載の発明は、請求項１から請求項４のいずれか１項に記載の物干し用カバーであって、前記傘部の頂部に、前記傘部を吊すための第１フックを設けたことを特徴とする。
請求項５に記載の発明によれば、物干し用カバーを前記第１フックにより物干し竿に掛けることができる。そして、骨組みに洗濯物を吊す洗濯ばさみを複数下げておいてもよい。
【００１１】
請求項６に記載の発明は、請求項１から請求項５のいずれか１項に記載の物干し用カバーであって、前記第１フックの下部に、物干し器具を吊す第２フックを設けたことを特徴とする。
請求項６に記載の発明によれば、前記第２フックに物干し器具のフックを掛けることで、洗濯物と物干し器具を物干し用カバーでバランスよく覆うことができ、覆う作業も容易になる。
【００１２】
請求項７に記載の発明は、請求項１から請求項６のいずれか１項に記載の物干し用カバーであって、前記側部カバーの下部に、該側部カバーを絞る裾紐を設けたことを特徴とする。
請求項７に記載の発明によれば、前記側部カバーの下部を絞ることによって、物干し用カバーを袋状にして、洗濯物全体を覆うことが可能になる。
【発明の効果】
【００１３】
請求項１に記載の発明によれば、傘部と、側部カバーによって、物干し器具と、該物干し器具に吊された洗濯物との全体を覆うとともに、通気口及びその下部に電動ファンが設けられたことによって、物干しカバー内部に常に空気の流れが生じ、洗濯物の湿気を通気口から物干しカバー外部に効率よく排出することができるので、洗濯物が乾きやすくなるだけでなく、電動ファンによって通気性を確保できるので、物干しカバーの素材の選択肢も広くなる。
【００１４】
請求項２に記載の発明によれば、通気口による通気を保持したまま、通気口上部の通気口カバーによって例えば急な降雨や降雪の際にも、通気口から雨や雪が入るのを防ぐことができ、埃、黄砂、花粉、火山灰などが入り込むのも防ぐことができる。
【００１５】
請求項３に記載の発明によれば、電動ファンを動かす電力に太陽電池を用いるので、乾電池の消耗や交換に煩わされることがなく、エネルギーも節約することができる。
【００１６】
請求項４に記載の発明によれば、物干し用カバーの傘部構造が保持され、洗濯物を覆う際に、作業が容易になるだけでなく、洗濯物と物干し用カバーとの間に十分な空間が保たれ、洗濯物と物干し用カバーが付着しにくくなり、洗濯物が乾きやすくなる。
【００１７】
請求項５に記載の発明によれば、物干し用カバーを第１フックにより物干し竿に掛けることができる。そして、骨組みに洗濯物を吊す洗濯ばさみを複数下げておいてもよい。
【００１８】
請求項６に記載の発明によれば、請求項６に記載の発明によれば、前記第２フックに既存の物干し器具のフックを掛けることで、洗濯物と物干し器具を物干し用カバーでバランスよく覆うことができ、覆う作業も容易になる。
【００１９】
請求項７に記載の発明によれば、前記側部カバーの下部を絞ることによって、物干し用カバーを袋状にして、洗濯物全体を覆うことが可能になる。
【発明を実施するための最良の形態】
【００２０】
次に、本発明の実施形態について、適宜図面を参照しながら詳細に説明する。
参照する図において、図１は、実施形態にかかる物干しカバーの全体斜視図であり、図２は、傘状骨組みの分解斜視図であり、図３は、実施形態にかかる物干しカバーの断面図である。
図１に示すように、物干し用カバー１は、物干し器具６０を吊す傘状骨組み１０と、傘状骨組み１０の外側上部を覆う傘部カバー２０と、傘状骨組み１０の周縁部から垂下する側部カバー３０と、傘状骨組みの内側に取り付けられた電動ファン４０とを主に備えている。傘部カバー２０には、頂部周辺に数カ所の通気口２１が設けられている。なお、傘状骨組み１０と傘部カバー２０は傘部に相当する。
【００２１】
傘状骨組み１０は、図２に示すように、傘部カバー２０を支えるための傘上部１１と、電動ファン４０を取り付けるための傘下部１２とを備えている。傘上部１１は、下枠１１ａと、下枠１１ａから中心位置が重なるようにして上部に設けた円形の上枠１１ｂとが、放射状に等間隔に設けた複数の、例えば８本の腕部１１ｃの両端でつなげられて形成されている。腕部１１ｃには、傘上部１１に傘下部１２を取り付けるために、例えば、下端に爪部１１ｆを有する脚部１１ｄが下方向に向けて延びるように形成されている。
傘下部１２には、溝１２ｅを有し円形に形成されたレール部１２ａと、電動ファン設置枠１２ｂとが、放射状に等間隔に設けた複数の、例えば８本の補強部材１２ｃの両端でつなげられて形成されている。レール部１２ａは、前記した下枠１１ａと同じ直径の円形に形成されており、溝１２ｅには複数個のランナー９１が備えられている。補強部材１２ｃには、脚部１１ｄに対応する位置に、上下に貫通した穴部１２ｆが形成されている。この穴部１２ｆに、傘上部１１の脚部１１ｄを嵌め込んで、爪部１１ｆで係止することにより、傘上部１１と傘下部１２とが一体になる。なお、電動ファン設置枠１２ｂには、電動ファン４０を取り付けるための第１螺子穴１２ｄが設けられ、物干し器具６０を吊り下げるための第１フック１３ａを有する吊り下げ部材１３が接合されている。
【００２２】
電動ファン４０は、図示しないモーター、電源及びファン４１を内部に備えている。電動ファン４０のハウジング４５には、第１螺子穴１２ｄに対応するように上下に貫通する第２螺子穴４２が設けられ、下から、電動ファン設置枠１２ｂ、電動ファン４０の順に重ねて、スクリュー螺子４６などで螺合して、電動ファン４０が傘状骨組み１０に取り付けられている。なお、電動ファン４０の電源には、太陽電池を使用するが、乾電池を使用してもよい。
【００２３】
傘上部１１の外側、つまり上側には、傘部カバー２０が全面に張りつけられている。そして、傘部カバー２０には、傘部の頂部周辺に複数個、例えば４個の円形の通気口２１が設けられている。具体的には、通気口２１は腕部１１ｃにかかる位置に設けられている。このように腕部１１ｃにかかる位置に通気口２１を設ければ、後述する通気口カバー１４がない場合でも雨水が傘部カバー２０を伝ってその内側へたれることは極力避けられる。このように、通気口２１からの雨水の浸入を考慮すると、通気口２１の位置は頂部に近いほど望ましく、傘部カバー２０の頂部に設けるのが最も好ましい。
【００２４】
傘部の上部には、通気口カバー１４が取り付けられる。通気口カバー１４は、上枠１１ｂとほぼ同じ外径の円盤１４ａと、円盤１４ａの周縁部の外側に設けられた通気口カバー部材１４ｂと、円盤１４ａの上面中央に設けられた吊り下げ用の第２フック１４ｃと、円盤１４ａの周縁から下方へ延びるように円筒状に形成された台部１４ｄとを備えている。通気口カバー部材１４ｂは、傘部カバー２０と等間隔を保つように傘状に傾斜しており、通気口２１を十分に覆う大きさに形成されている。台部１４ｄは、その下端から一定範囲の外径を小さくした接合部１４ｅを有しており、接合部１４ｅが傘上部１１の上枠１１ｂに内挿され、接着剤や螺子などによって固定されている。
【００２５】
側部カバー３０は、図３に示すように、シート状の側部カバー部材３１と、側部カバー部材３１の上辺に等間隔に複数個取り付けられたカーテンフック３２と、側部カバー部材３１の下辺に設けられた裾紐通し部３３と、裾紐通し部３３に通された裾紐３４と、側部カバー部材３１の下辺に複数ヵ所、例えば２カ所に設けられた側部カバー固定部材３５とを備えている。
側部カバー３０は、カーテンフック３２をランナー９１のフック穴にかけることによって、傘状骨組み１０に吊り下げられている。側部カバー部材３１は、少なくとも傘下部１２に設けられたレール部１２ａの円周に重ね合わせ部分を加えた幅と、物干し器具６０とそこに吊す洗濯物６１を覆うのに十分な高さを有する。閉じた状態では重なり合う側部カバー部材３１の開閉部には、図示しないファスナー又は面ファスナーなどの開閉用具が取り付けられるのが望ましい。側部カバー固定部材３５は、固定紐通し穴３５ａを有するテープ状に形成されたものであって、その上部３分の１〜２分の１が側部カバー部材３１の下辺に重なるようにして縫着又は溶着されて取り付けられ、固定紐通し穴３５ａに適宜の長さの固定紐３６を通したものである。側部カバー固定部材３５は、側部カバー部材３１の下辺に等間隔に設けられるのが望ましい。
【００２６】
傘部カバー２０と、側部カバー３０の材質は、ポリ塩化ビニルやポリエチレンなどの樹脂製シートを好適に用いることができるが、防水加工を施した織布や不織布でも構わない。
【００２７】
次に、物干し用カバー１の使用方法について説明する。吊り下げ用の第２フック１４ｃを物干し竿などに掛けて、側部カバー部材３１を開き、洗濯物６１を吊り下げた物干し器具６０のフック部分を、物干し用カバー１の内部の第１フック１３ａに掛けて吊り下げる。そして、カーテン状の側部カバー部材３１を閉じた上、側部カバー固定部材３５の固定紐３６を重りや、物干し台の脚などに縛り付けて固定する。電動ファン４０は、太陽光を受けて発生した電力でモーターを回転させ、これにより、図３に示すようにファン４１を回転させて物干し用カバー１の内部の湿気を通気口２１から外部に排出する。裾紐３４を絞って、下方の開口を小さくすれば埃や花粉などが下方から入りにくく、洗濯物６１に付着しにくい。
【００２８】
以上によれば、本件発明によって、次のような効果を得ることができる。電動ファン４０が、通気口２１から湿気を外部に排出するので、洗濯物６１が乾くのが早くなり、細菌の繁殖による嫌なにおいも防ぐことができる。しかも、通気口カバー１４が、通気口２１を覆っているので、雨雪、埃、黄砂、花粉、火山灰などを防ぐ効果を保つことができる。なお、傘部カバー２０及び側部カバー部材３１に半透明の素材を用いると、洗濯物を外部から見えないようにすることができる。
【００２９】
なお、本発明は、傘部が平面視において丸形の形状をしており、放射状の物干し器具などの使用に適しているが、本発明はこれに限定されず、傘上部１１の下枠１１ａ及び傘下部１２のレール部１２ａを、矩形に形成し、角形の物干し器具の使用に適したものとしてもよい。
また、本実施形態では、側部カバー３０は傘状骨組み１０にランナー９１により吊り下げられ、側部カバー３０をレール部１２ａに沿ってスライドさせて開閉できるようにしているが、これが溶着して固定して取り付けられることとし、また、側面の開閉部をなくしてもよい。その場合、物干し器具を吊す作業をやりやすくするために、側部カバー３０を下辺からたくし上げた状態で固定する固定器具を設けてもよい。このようにすれば、隙間を減らすことができ、雨雪、埃、黄砂、花粉、火山灰などを効果的に防ぐことができる。
【図面の簡単な説明】
【００３０】
【図１】実施形態に係る物干し用カバーを示す斜視図である。
【図２】図１の側部カバーを除いた構造を示す分解斜視図である。
【図３】実施形態に係る物干し用カバーの構造を示す断面図である。
【符号の説明】
【００３１】
１      物干し用カバー
１０    傘状骨組み
１４    通気口カバー
２０    傘部カバー
２１    通気口
３０    側部カバー
３４    裾紐
４０    電動ファン
６０    物干し器具
６１    洗濯物
【図１】
2005261828.tif 000003
【図２】
2005261828.tif 000004
【図３】
2005261828.tif 000005